(57)【特許請求の範囲】
【請求項１】
遊技演出を制御する制御手段と、該制御手段に駆動制御されて振動する振動発生源とを備えた遊技機において、
開口部が設けられたカバー部材と、
前記カバー部材の裏側に配設されたベース部材と、
前記カバー部材およびベース部材の間に配設され、前記開口部を介して表側に臨む操作部と、
前記振動発生源が配設されると共に該振動発生源の振動を前記操作部に伝達する基体部材と、
前記操作部を表側へ向けて弾力的に付勢する弾性体と、
前記基体部材および前記ベース部材の間に介装されて前記基体部材および前記ベース部材を離す防振体とを備え、
前記操作部が前記弾性体により表側へ付勢された状態で、該操作部および前記カバー部材の間に隙間が生ずるよう構成され、
前記ベース部材は、裏側へ向けて変位した前記操作部の裏側端面を受け止める受部を備えた
ことを特徴とする遊技機。
【発明の詳細な説明】
【技術分野】
【０００１】
この発明は、遊技演出を切り替え可能な操作手段を備えた遊技機に関するものである。
【背景技術】
【０００２】
従来からパチンコ機やスロットマシンなどの遊技機では、遊技者が操作可能な演出用操作ボタンを設け、この演出用操作ボタンの操作に応じて液晶ディスプレイや可動役物などの演出態様に変化を与え、遊技者の参加意識を高めて興趣を向上させることが行われている(例えば特許文献１参照)。特許文献１に開示の遊技機では、演出用操作ボタンとこの演出用操作ボタンの押圧を検知する基板との間に、振動発生装置が配設されている。振動発生装置は、演出用操作ボタンに繋がった永久磁石と電磁コイルとからなり、所定の制御条件に基づいて電磁コイルに通電して永久磁石を振動させることで、演出用操作ボタンが振動されるようになっている。そして、液晶パネルなどで図柄変動演出や大当り演出などが実行されている間に演出用操作ボタンを振動させることで、演出用操作ボタンを操作した遊技者に対して、図柄変動演出での大当り発生への期待感を高めたり、大当り演出後の遊技状態を示唆している。
【先行技術文献】
【特許文献】
【０００３】
【特許文献１】特開２００７−３７９７２号公報
【発明の概要】
【発明が解決しようとする課題】
【０００４】
しかしながら、振動発生装置の振動が、演出用操作ボタンの周囲に伝わってしまうと、周囲に配設されたスイッチ類や可動役物などの機器に悪影響を与えることがある。また、遊技者が触れる操作ハンドルや球皿部材などの部材に振動が伝わると、遊技者は、演出用操作ボタンに触れるまでもなく操作ボタンの振動演出が行われたことが判ってしまい、演出用操作ボタンを操作することに対する興味が薄れてしまう。
【０００５】
すなわち本発明は、従来の技術に係る遊技機に内在する前記問題に鑑み、これらを好適に解決するべく提案されたものであって、操作部を振動させた際に周囲の部材に伝わる振動を抑制できる遊技機を提供することを目的とする。
【課題を解決するための手段】
【０００６】
前記課題を克服し、所期の目的を達成するため、本願の請求項１に係る発明の遊技機は、
遊技演出を制御する制御手段(C3)と、該制御手段に駆動制御されて振動する振動発生源(56)とを備えた遊技機において、
開口部(48a)が設けられたカバー部材(48)と、
前記カバー部材(48)の裏側に配設されたベース部材(50)と、
前記カバー部材(48)およびベース部材(50)の間に配設され、前記開口部(48a)を介して表側に臨む操作部(42)と、
前記振動発生源(56)が配設されると共に該振動発生源(56)の振動を前記操作部(42)に伝達する基体部材(52)と、
前記操作部(42)を表側へ向けて弾力的に付勢する弾性体(54)と、
前記基体部材(52)および前記ベース部材(50)の間に介装されて前記基体部材(52)および前記ベース部材(50)を離す防振体(58)とを備え、
前記操作部(42)が前記弾性体(54)により表側へ付勢された状態で、該操作部(42)および前記カバー部材(48)の間に隙間が生ずるよう構成され、
前記ベース部材(50)は、裏側へ向けて変位した前記操作部(42)の裏側端面を受け止める受部(84,85)を備えたことを要旨とする。
請求項１に係る発明によれば、基体部材および操作部からカバー部材およびベース部材に伝わる振動を抑制できる。
また、押圧した操作部の裏側端面がベース部材の受部で受け止められて該操作部が位置規制されるから、操作部に対して基体部材から効率よく振動を伝達できる。
【発明の効果】
【０００７】
本発明に係る遊技機によれば、操作部を振動させた際に周囲の部材に伝わる振動を抑制できる。
【図面の簡単な説明】
【０００８】
【図１】実施例に係るパチンコ機を示す正面図である。
【図２】実施例のパチンコ機を後側から示す概略斜視図である。
【図３】図１のＡ−Ａ線で破断した要部断面図である。
【図４】実施例の演出操作ユニットを上球皿部材から分離した状態で示す概略斜視図である。
【図５】(ａ)は実施例の演出操作ユニットを示す平面図であり、(ｂ)は実施例の演出操作ユニットを、ユニットカバーおよび演出ボタンカバーを取り外した状態で示す平面図であり、(ｃ)は実施例の演出操作ユニットを、ユニットカバーおよび演出操作ボタンを取り外した状態で示す平面図であり、(ｄ)は実施例の演出操作ユニットを、ユニットカバー、演出操作ボタンおよび演出ボタン基体を取り外した状態で示す平面図である。
【図６】実施例の演出操作ユニットを示す底面図である。
【図７】図５(ａ)のＢ−Ｂ線断面図である。
【図８】図５(ａ)のＣ−Ｃ線断面図である。
【図９】図５(ａ)のＤ−Ｄ線断面図であり、(ａ)は演出操作ボタンを押圧操作していない通常状態を示し、(ｂ)は演出操作ボタンを押圧操作した操作状態を示す。
【図１０】(ａ)は図５(ａ)のＥ−Ｅ線で破断した要部断面図であり、(ｂ)は図５(ａ)のＦ−Ｆ線で破断した要部断面図である。
【図１１】実施例の演出操作ユニットを示す分解斜視図である。
【図１２】実施例のパチンコ機の制御ブロック図である。
【発明を実施するための形態】
【０００９】
次に、本発明に係る遊技機につき、好適な実施例を挙げて、添付図面を参照して以下に説明する。なお、実施例では、遊技球としてパチンコ球を用いて遊技を行うパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１０】
(パチンコ機１０の概略構成について)
図１または図２に示すように、実施例に係るパチンコ機１０は、遊技店に設けられた図示しない設置枠台に縦置き姿勢で設置される固定枠としての外枠１１と、該外枠１１に対して着脱および開閉可能に設けられ、各種制御装置等の遊技機構成部品が設置される本体枠としての中枠１２と、該中枠１２に着脱交換可能に取り付けられて所要の遊技領域２０ａが画成された遊技盤２０と、該中枠１２の前面側に着脱および開閉可能に設けられると共に遊技盤２０を透視保護する装飾枠としての前枠１４とを基本的に備えている。実施例のパチンコ機１０では、パチンコ球を貯留可能な２つの球皿部材１６,１７が前枠１４の下部に上下の関係で一体的に配設されており、前枠１４の開閉動作に合わせて両球皿部材１６,１７が開閉するよう構成されている。すなわち、実施例のパチンコ機１０では、前枠１４が中枠１２の前側で開閉可能な開閉体として機能すると共に、該前枠１４が球皿部材１６,１７としても機能している。そして、パチンコ機１０の前面側(実施例では前枠１４)における右下部位置には、パチンコ球の発射を制御する発射・払出制御手段Ｓ１(図２参照)に電気的に接続された発射操作ハンドル１８が配設されており、遊技者による発射操作ハンドル１８の回動操作により球送り装置および打球発射装置(何れも図示せず)が作動して、上側の上球皿部材１６の上球受け皿１６ａに貯留されたパチンコ球が遊技盤２０の遊技領域２０ａに向けて１球ずつ発射されるよう構成されている。
【００１１】
(遊技盤２０について)
図５に示すように、遊技盤２０は、円弧状に湾曲する外レール２１および内レール２２が盤面(前面)に配設されて、該内外レール２１,２２の内側に画成される略円形の遊技領域２０ａ内に、各種図柄の変動などの遊技演出が行われる図柄表示装置１３や、入賞装置２４,２５,２６等の遊技用部品が配置されている。また、遊技盤２０には、可動役物３１,３２が配設され、遊技に際して図柄表示装置１３に表示される図柄等の遊技演出や、大当りなどの遊技状態等に応じた所定のタイミングで可動役物３１,３２に所定の動作を行わせ、遊技者の興趣を高めるようになっている。なお、実施例の遊技盤２０には、横軸周りに回転動作を行う第１可動役物３１と、図柄表示装置１３の表示領域の外側方と該表示領域の前側との間で回動動作を行う第２可動役物３２とが配設されている。遊技盤２０の左側部に位置する外レール２１および内レール２２は、パチンコ球が通過可能な距離だけ離間した状態で遊技領域２０ａの径方向に重なるよう構成されて、図示しない打球発射装置から発射されたパチンコ球を遊技領域２０ａへ案内する発射通路２３を画成している。そして、発射通路２３から打ち出されて遊技領域２０ａを流下する過程で入賞装置２４,２５,２６の入賞口に入賞したパチンコ球を入賞検出センサ(図示せず)が検出することで、中枠１２に配設された賞球や貸球の払出しを制御する発射・払出制御手段Ｓ１(図２参照)に入賞検出信号が入力され、該入賞検出信号の入力に応じて球払出装置２８(図２参照)が作動制御されて所定数の賞球が払い出されるようになっている。なお、実施例では、パチンコ球の発射制御および賞球や貸球の払い出し制御を、１つの発射・払出制御手段Ｓ１で行うよう構成したが、別々の制御手段で行ってもよい。
【００１２】
(前枠１４について)
前記前枠１４は、外枠１１の開口形状に略整合する矩形状に形成されると共に、前後に貫通する窓口が開口する枠状に形成されており、該前枠１４を中枠１２に対して閉鎖した状態で、遊技盤２０に形成された遊技領域２０ａが窓口を介して前方に露出するよう構成されている。そして、前枠１４の後面側には、窓口の開設位置に対応してガラス板等の透明な透視保護板(図示せず)が着脱可能に配設されており、パチンコ機１０の前側から遊技盤２０を視認可能な状態で透視保護している。なお、図１では、前枠１４に取り付けられる透視保護板の図示を省略してある。また、前枠１４は、左側部が中枠１２に対して開閉可能に連結されており、該前枠１４を中枠１２に対して閉鎖した際に、中枠１２の前面全体が前枠１４で被覆されるよう構成されている。
【００１３】
(球皿部材１６,１７について)
図１に示すように、前枠１４の前面側には、上方へ開口する上球受け皿１６ａを備えた上球皿部材１６が窓口１５ａの下方位置に取り付けられており、該上球受け皿１６ａ内に所定数のパチンコ球を一時的に貯留し得るようになっている。また、前枠１４(前枠基体部１５)の後面側には、前記発射・払出制御手段Ｓ１に電気的に接続する球送り装置が上球受け皿１６ａの下流端部に連通するよう設置されている。そして、発射操作ハンドル１８の回動操作に基づいて球送り装置が作動して、上球受け皿１６ａに貯留されたパチンコ球を、中枠１２に配設された打球発射装置に１球ずつ送り出すよう構成されている。また、前枠１４(前枠基体部１５)の左側部には、前後に貫通する上皿給出口１６ｂが設けられ、この上皿給出口１６ｂを介して中枠１２側からパチンコ球(賞球や貸球)が上球受け皿１６ａへ給出されるようになっている。ここで、上球皿部材１６は、該上球皿部材１６の前面および下面を画成する球皿外殻部３３と、この球皿外殻部３３と前枠１４との間に間に配設され、前枠１４との間に上球受け皿１６ａを画成する球皿形成部３４と、球皿外殻部３３の上縁と球皿形成部３４の上縁との間に配設され、該上球皿部材１６の上面をなす球皿上面部３５とから基本的に構成されている(図３および図４参照)。また図１に示すように、前枠１４の前面側には、上方へ開口する下球受け皿１７ａを備えた下球皿部材１７が上球皿部材１６の下方位置に取り付けられており、該下球受け皿１７ａ内に所定数のパチンコ球を一時的に貯留し得るようになっている。
【００１４】
このように、実施例のパチンコ機１０は、パチンコ球を貯留する球受け皿１６ａ,１７ａを前面側に上下２つ備えた所謂「二枚皿タイプ」として構成されている。また、上球皿部材１６の上面右側には、貸球操作ボタン３０(図４参照)が設けられており、該貸球操作ボタン３０を遊技者が押下することで、発射・払出制御手段Ｓ１に貸球払出し信号が入力され、中枠１２に設けられた球払出装置２８が作動されて所定数の貸球が上球受け皿１６ａに払い出されるようになっている。また、上球皿部材１６の上面中央部には、遊技者が操作可能な操作ボタンを備えた演出操作ユニット(操作手段)４０が設けられ、パチンコ機１０は、操作ボタンの操作に応じて図柄表示装置１３や可動役物３１,３２などによる遊技演出を切り替え得るようになっている。
【００１５】
(演出操作ユニット４０について)
図３に示すように、演出操作ユニット４０は、球皿上面部３５に上方へ開口する凹状に形成されたユニット収容部３６に収容され、後述するユニットカバー４８でユニット収容部３６の上方開口を塞ぐと共に該球皿上面部３５に対して後述するユニットベース５０,５１をネジ止め固定している。ここで、ユニット収容部３６は、球皿外殻部３３と球皿形成部３４との間の空間に収まっており、上球受け皿１６ａの下流部でパチンコ球を集合させるために前枠１４に近接しした球皿形成部３４の右側部分と球皿外殻部３３との間のスペースを有効利用して演出操作ユニット４０が配設されている。
【００１６】
図４〜図１１に示すように、演出操作ユニット４０は、押圧操作可能な演出操作ボタン(操作ボタン)４２と、該演出操作ボタン４２に対応して設けられ、演出操作ボタン４２の押圧変位を検知する演出ボタン検出手段(検出手段)４３とを有している。そして、パチンコ機１０は、演出ボタン検出手段４３による演出操作ボタン４２の操作検知に伴って遊技演出を切り替え可能に構成されている。また、演出操作ユニット４０は、演出操作ボタン４２とは別に、押圧操作可能な右選択操作ボタン４４および左選択操作ボタン４５を有し、右選択操作ボタン４４および左選択操作ボタン４５の夫々に対応する選択ボタン検出手段４６,４６による当該選択操作ボタン４４,４５の操作検知に伴って、パチンコ機の１０遊技演出を切り替え可能になっている。実施例の演出操作ユニット４０では、上面左側に演出操作ボタン４２が配置され、演出操作ボタン４２の右側に２つの選択操作ボタン４４,４５が左右に並べて配置されている。演出操作ユニット４０は、上球皿部材１６の表側に臨むユニットカバー(カバー)４８と、このユニットカバー４８の裏側(下側)に設けられ、部材の設置基盤となるベース５０,５１とを有している。実施例の演出操作ユニット４０では、演出操作ボタン４２および該演出操作ボタン４２に関連する部材を支持する演出ボタンベース５０と、左右の選択操作ボタン４４,４５および該選択操作ボタン４４,４５に関連する部材を支持する選択ボタンベース５１とが互いに独立して設けられている。
【００１７】
図７および図９に示すように、演出操作ボタン４２は、ユニットカバー４８に設けられた演出ボタン開口部(開口部)４８ａを介して表側に臨み、ユニットカバー４８と演出ボタンベース５０との間に配設された演出ボタン基体５２に表裏方向へ進退移動可能に保持されている。また、演出操作ボタン４２は、該演出操作ボタン４２と演出ボタン基体５２との間に介挿された演出ボタン弾性体(弾性体)５４によって表側(上側)へ向けて弾力的に付勢されている。演出ボタン基体５２には、該演出ボタン基体５２を振動し得る振動発生源５６が配設され(図５(ｂ)および(ｃ)参照)、振動発生源５６による演出ボタン基体５２の振動に伴って演出操作ボタン４２を振動し得るよう構成されている。演出ボタン基体５２は、ユニットカバー４８および演出ボタンベース５０から離れた状態で、演出ボタンベース５０に対して防振体５８を介して支持されている。ここで、演出ボタン基体５２に保持された演出操作ボタン４２は、ユニットカバー４８および演出ボタンベース５０から離れた状態となっている。そして、演出ボタン基体５２と演出ボタンベース５０との間には、演出ボタン検出手段４３を備えた演出ボタン基板６０が、演出ボタン基体５２および防振体５８と離れた状態で演出ボタンベース５０に配設されている。
【００１８】
(ユニットカバー４８および演出ボタンベース５０について)
図１および図３に示すように、ユニットカバー４８は、ユニット収容部３６の上方開口を塞いで上球皿部材１６の上面の一部を構成する板状部材であって、左側に上下に貫通する略楕円形状の演出ボタン開口部４８ａが形成されると共に、左側に上下に貫通する略三角形状の選択ボタン開口部４８ｂが２つ形成されている。ここで、演出ボタン開口部４８ａは、演出操作ボタン４２(後述の演出ボタンカバー)の外周形状に合わせた形状で、かつ該外周寸法よりも僅かに大きく形成されている。すなわち、演出ボタン開口部４８ａから表側に臨む演出操作ボタン４２の外周と該演出ボタン開口部４８ａとの間には僅かな隙間があり、演出操作ボタン４２の外周面がユニットカバー４８から離れた状態になっている(図７および図９参照)。演出ボタンベース５０は、上方へ開口する箱形状に形成されており、上方開口がユニットカバー４８で覆われた状態で、ユニットカバー４８に対してネジ止め等により組み付けられている。そして、ユニットカバー４８と演出ボタンベース５０との間には、演出操作ボタン４２の下部、演出ボタン基体５２、演出ボタン弾性体５４、振動発生源５６および演出ボタン基板６０が収容されている。
【００１９】
(演出操作ボタン４２について)
図１１に示すように、演出操作ボタン４２は、該演出操作ボタン４２において表側に臨む外殻を構成する演出ボタンカバー６２と、この演出ボタンカバー６２の下側に取り付けられた演出ボタン台部６３とを備えている。演出ボタンカバー６２は、下方に開口する箱状に形成されており(図７および図９参照)、少なくとも上面(実施例では全体)が透明(実施例)または半透明などとされて、光を透過し得るようになっている。演出ボタン台部６３は、上下に連通する筒状本体６３ａの下縁に径方向外方へ延出する鍔部６３ｂを有し、筒状本体６３ａを演出ボタンカバー６２の内側に嵌め合わせて、演出ボタンカバー６２に対して組み付けられる。また、演出ボタン台部６３における筒状本体６３ａの内側には、光を透過し得ると共に光を拡散し得る演出ボタン光拡散体６４が嵌め込まれ、この演出ボタン光拡散体６４によって筒状本体６３ａの上方開口が塞がれている。演出ボタン光拡散体６４は、半透明の合成樹脂材からなり、演出ボタン光拡散体６４の上面は、外周縁から中央部に向かうにつれて高くなる段状に形成されると共に中央部から放射状に延びる複数の溝が形成され、これらの段および溝が複合して光を拡散するようになっている(図１１参照)。演出ボタンカバー６２の下縁には、径方向外方へ延出する抜止片６２ａが全周に亘って形成され、この抜止片６２ａの外周寸法が演出ボタン開口部４８ａよりも大きく設定されている(図７および図９参照)。すなわち、演出操作ボタン４２は、抜止片６２ａが演出ボタン開口部４８ａの開口縁下面に引っ掛かるので、上方へ抜けないようになっている。
【００２０】
(演出ボタン基体５２について)
図１１に示すように、演出ボタン基体５２は、演出操作ボタン４２を保持する演出ボタン配設部(ボタン配設部)５２ａと、この演出ボタン配設部５２ａの右側方に設けられて、振動発生源５６が配設される発生源配設部５２ｂとを有する架台状の部材である。演出ボタン基体５２は、ユニットカバー４８および演出ボタンベース５０で画成される空間よりも小さく形成され、該空間にユニットカバー４８および演出ボタンベース５０から離れた状態で配設されている。演出ボタン配設部５２ａには、上方に位置する演出ボタン台部６３における筒状本体６３ａの内側に対向する位置に、上下に貫通する２つの発光開口５３,５３が左右に並べて形成されており、該発光開口５３の夫々に演出ボタン発光体６６が臨むようになっている(図９参照)。なお、演出ボタン配設部５２ａにおいて、両発光開口５３,５３の周りは、該発光開口５３から外周縁に向かうつれて上方傾斜するように形成されており、両発光開口５３,５３の周りが上方に拡開するすり鉢状になっている。また、ボタン配設部５２ａには、発光開口５３の周りの傾斜面裏側に空洞部５５が設けられて、軽量化が図られている。
【００２１】
(演出ボタン弾性体５４について)
図１１に示すように、演出ボタン弾性体５４は、演出操作ボタン４２における演出ボタン台部６３の鍔部６３ｂ下面と演出ボタン基体５２のボタン配設部５２ａ上面との間に配設され、演出操作ボタン４２の荷重を支持している(図７および図９参照)。演出ボタン弾性体５４は、演出操作ボタン４２を演出ボタン基体５２から離間するよう付勢する一方、演出操作ボタン４２の下方への押圧操作に伴って弾力的に圧縮変形可能になっている。なお、実施例では、演出ボタン弾性体５４として、コイルばねが用いられている。ここで、演出ボタン台部６３における鍔部６３ｂの下面には、下方へ向けて延出する上部ばね保持片６７が演出ボタン弾性体５４の上部外周に合わせて複数箇所(４箇所)設けられ、演出ボタン弾性体５４の上部は、複数の上部ばね保持片６７によって外周が保持されて前後左右方向の移動が規制されている。また、演出ボタン配設部５２ａの上面には、上方へ向けて延出する下部ばね保持片６８が演出ボタン弾性体５４の下部内周に合わせて複数箇所(２箇所)設けられ、演出ボタン弾性体５４の下部は、円弧状に延在する下部ばね保持片６８によって内周が保持されて前後左右方向の移動が規制されている。
【００２２】
(演出操作ボタン４２の演出ボタン基体５２に対する保持構造について)
図１１に示すように、演出ボタン台部６３には、鍔部６３ｂの下面外周縁から下方へ延出する演出ボタン係合片６９が複数箇所形成されている。実施例の演出ボタン台部６３は、該演出ボタン台部６３の右側部位に前後に対向配置された２つの演出ボタン係合片６９,６９と、該演出ボタン台部６３の左側部位に前後に対向配置された２つの演出ボタン係合片６９,６９とを有している。各演出ボタン係合片６９は、上下方向に延在する２本の側片部と、両側片部の下端間に架設された下片部とからなる枠状に形成されている。ここで、各演出ボタン係合片６９は、両側辺部間の隙間が下から上に向かうにつれて僅かに広くなるよう形成されている。演出ボタン配設部５２ａの外周面には、演出ボタン係合片６９に対応した位置に外方へ突出する演出ボタン係合突起７０が形成されている。実施例では、演出ボタン配設部５２ａの前面において左右に離間配置された２つの演出ボタン係合突起７０,７０と、演出ボタン配設部５２ａの後面において左右に離間配置された２つの係合突起７０,７０とを有し、４箇所の演出ボタン係合片６９に対応して演出ボタン係合突起７０が演出ボタン配設部５２ａに４箇所形成される。各演出ボタン係合突起７０は、上方から下方へ向かうにつれて演出ボタン配設部５２ａの外周面から突出するように形成されている。そして、演出ボタン係合片６９の両側片部の間に演出ボタン係合突起７０が嵌るように構成され、演出ボタン係合片６９と演出ボタン係合突起７０とが係合したもとで演出操作ボタン４２が演出ボタン基体５２に対して所定範囲の上下変位が許容される一方、前後左右に位置規制された状態で保持される。また、演出ボタン係合片６９の下片部が演出ボタン係合突起７０に引っ掛かることで、演出ボタン弾性体５４の付勢による演出操作ボタン４２の上方変位が規制される。ここで、演出ボタン係合片６９と演出ボタン係合突起７０とからなる演出操作ボタン４２の演出ボタン基体５２に対する保持構造は、ユニットカバー４８の下方に位置する演出操作ボタン４２の抜止片６２ａが演出ボタン開口部４８ａの開口縁下面に当接する前に、演出ボタン係合突起７０が演出ボタン係合片６９の下片部に引っ掛かるように構成されている。このように、演出操作ボタン４２は、該演出操作ボタン４２が押圧操作されてない通常状態においてユニットカバー４８から離れた状態になっており(図９(ａ)参照)、振動発生源５６によって演出操作ボタン４２が振動しても該演出操作ボタン４２がユニットカバー４８に接触しないように構成されている。
【００２３】
(振動発生源５６について)
図５(ｂ)および(ｃ)に示すように、振動発生源５６は、取付ベース７２に取り付けられた駆動手段としての駆動モータ７３と、この駆動モータ７３の回転軸に取り付けられ、駆動モータ７３の駆動により回転される偏心錘７４とから基本的に構成されている。なお、駆動モータ７３としては、ステッピングモータなどのパルス制御可能な電動機が好適である。取付ベース７２は、回転軸を後方へ向けた姿勢で駆動モータ７３を底面から離した状態で支持し、発生源配設部５２ｂの右側縁に立ち上がる壁や底部に設けられたベース保持爪７１によって保持されている(図８参照)。実施例の偏心錘７４は、略半円柱形状の金属製のブロック体であって、重心が駆動モータ７３の回転軸からずれるように該回転軸に取り付けられている。これにより、振動発生源５６は、駆動モータ７３の駆動により偏心錘７４を回転すると、重心が回転軸より径方向外方へずれた偏心錘７４の遠心力によって振動するようになっている。このように、演出操作ボタン４２および振動発生源５６は、左右方向(演出操作ボタン４２の進退移動方向と交差する方向)に隣接して演出ボタン基体５２に配設されており(図９参照)、振動発生源５６の振動が演出ボタン基体５２を介して演出操作ボタン４２に間接的に伝わるようになっている。
【００２４】
(防振体５８について)
前記防振体５８は、ゴムなどの弾力性を有する材料で形成されている。図１１に示すように、防振体５８は、円筒形に形成されており、軸方向の中間部分に外周面全周に亘って取付溝５８ａが凹状に形成され、取付溝５８ａを挟む上下に支持受部５８ｂ,５８ｂが設けられている。なお、演出ボタン基体５２は、複数(実施例では３つ)の防振体５８で支持されているが、実施例では全て同じ形態の防振体５８が用いられている。演出ボタンベース５０の底板には、防振体５８の取付溝５８ａに合わせた直径寸法で取付開口部７５が開設され(図７および図８参照)、この取付開口部７５の開口縁の一部は、防振体５８の取付溝５８ａの直径よりも小さい幅で外方へ連通するように切り欠かれている。防振体５８は、取付開口部７５の切欠部分７５ａ(図５(ｄ)参照)から取付溝５８ａを挿脱可能になっており、取付溝５８ａを取付開口部７５の開口縁に嵌め合わせて、上下の支持受部５８ｂ,５８ｂによって該開口縁(演出ボタンベース５０の底板)を挟持して取り付けられる。演出ボタン基体５２は、該演出ボタン基体５２の下面から下方へ延出する取付ボス７６を防振体５８の通孔に挿入し、演出ボタンベース５０の下面に臨む取付ボス７６に対して平ワッシャ付きの取付ネジ７７を締結して取り付けられる。そして、防振体５８は、上側の支持受部５８ｂが演出ボタン基体５２の下面と演出ボタンベース５０の底板上面との間に介在して、上側の支持受部５８ｂの厚み分だけ演出ボタン基体５２を演出ボタンベース５０から離した状態で支持するようになっている。また、防振体５８は、下側の支持受部５８ｂが演出ボタンベース５０の底板下面と取付ネジ７７の平ワッシャとの間に介在して、取付ネジ７７を演出ボタンベース５０に接触しないように離間させている。なお、実施例の防振体５８は、上側の支持受部５８ｂが下側の支持受部５８ｂよりも厚く設定されている。
【００２５】
前記演出ボタン基体５２は、演出ボタン配設部５２ａが、複数の防振体５８で支持されると共に、発生源配設部５２ｂが、１つの防振体５８で支持されている(図７および図８参照)。実施例では、演出ボタン配設部５２ａが演出ボタン基体５２の左側に偏倚した位置に前後に離間配置された２つの防振体５８,５８で支持され、発生源配設部５２ｂが駆動モータ７３の下方位置に配置された１つの防振体５８で支持される。ここで、発生源配設部５２ｂを支持する防振体５８は、偏心錘７４から前方(回転軸の延在方向)にずれた位置に配置され、これにより偏心錘７４の回転に伴う演出ボタン基体５２の振動が妨げられず、演出ボタン基体５２を効率よく振動し得るようになっている。また、演出ボタンベース５０の底板上面には、取付開口部７５に取り付けられた防振体５８の支持受部の外周縁に合わせて該取付開口部７５を囲んで上方に突出する囲い片７８が設けられ(図７および図８参照)、防振体５８を取付開口部７５に取り付けた際に上側の支持受部５８ｂが囲い片７８によって位置決めされるようになっている。この囲い片７８は、上側の支持受部５８ｂの厚みよりも演出ボタンベース５０からの突出寸法が小さく設定されて、該支持受部５８ｂによる演出ボタン基体５２の弾力的な支持を妨げないようになっている。また、演出ボタンベース５０の底板下面には、垂下壁部７９が防振体における下側の支持受部５８ｂの外周に合わせて形成されており、取付開口部７５の開口縁を囲うように設けられた垂下壁部７９によって下側の支持受部５８ｂが位置決めされる。
【００２６】
(演出ボタン基板６０について)
図５(ｄ)に示すように、演出ボタン基板６０は、演出ボタンベース５０の底板上に設置されている。演出ボタン基板６０の上面には、演出操作ボタン４２の押圧操作を検知する演出ボタン検出手段４３が配設されている(図９参照)。実施例の演出ボタン基板６０には、左右に離間配置された２つの演出ボタン検出手段４３,４３を有し、各演出ボタン検出手段４３のレバーが演出操作ボタン４２に垂下形成された演出ボタン押圧部８０によって押されることで、演出操作ボタン４２の押圧操作を検知するようになっている。このように、実施例の演出ボタン検出手段４３は、該演出ボタン検出手段４３の上部に傾動可能に設けられたレバーの変位によって接点が開閉する機械的なスイッチが用いられている。各演出ボタン検出手段４３は、制御手段に電気的に接続されて、検出ボタン検出手段の検知信号が制御手段に入力される。なお、パチンコ機１０では、両方または何れか一方の演出ボタン検出手段４３だけの検知によって、演出操作ボタン４２が押圧操作されたものして制御手段において処理している。
【００２７】
図９に示すように、演出操作ボタン４２の演出ボタン押圧部８０は、演出ボタン台部６３の鍔部６３ｂ下面より下方へ突き出るように形成され、演出ボタン台部６３の左右に離間して２つ設けられている。右側の演出ボタン押圧部８０は、演出ボタン配設部５２ａに形成された前記鉢状部分と発生源配設部５２ｂとの間に上下に貫通形成された押圧部通口８１に挿入され、演出操作ボタン４２の押圧に伴って右側の演出ボタン検出手段４３に近づき、該演出ボタン検出手段４３のレバーを押圧するようになっている。これに対し、左側の演出ボタン押圧部８０は、演出ボタン基体５２の左側方に位置し、演出操作ボタン４２の押圧に伴って左側の演出ボタン検出手段４３に近づき、該演出ボタン検出手段４３のレバーを押圧するようになっている。演出操作ボタン４２は、左右方向に長軸が延在する楕円形状であるので、押圧操作の位置によって左右に傾いて押し込まれることがあるが、左右の何れに傾いても左右の何れかの演出ボタン検出手段４３,４３で演出操作ボタン４２の押圧操作を検知し得るので、演出操作ボタン４２の押圧操作の非検知といった事態が生じ難い。なお、各演出ボタン押圧部８０は、演出ボタン検出手段４３のレバーを押す押圧面の周りに下方へ突出する囲い８０ａが形成され、対応の演出ボタン検出手段４３が囲い８０ａの内側に収容されている。これにより、押圧操作や振動発生源の振動などに伴って演出操作ボタン４２が傾くなどの姿勢変位をしても、演出ボタン押圧部８０が演出ボタン検出手段４３から位置ズレすることを防いでいる。
【００２８】
図５(ｄ)に示すように、演出ボタン基板６０の上面には、演出ボタン基体５２に開設された発光開口５３を介して演出操作ボタン４２(上方)へ向けて光を照射する演出ボタン発光体６６が配設されている。実施例では、ＬＥＤからなる演出ボタン発光体６６が演出操作ボタン４２の下方位置に、左右に離間して２つ配設されている(図５(ｂ)参照)。各演出ボタン発光体６６は、演出ボタン基体５２の発光開口５３および演出操作ボタン４２における演出ボタン台部６３の筒状本体６３ａ内側を介して、該筒状本体６３ａの上方開口を覆う演出ボタン光拡散体６４に光を照射し、演出ボタン光拡散体６４で拡散された光によって演出ボタン開口部４８ａから表側に臨む演出ボタンカバー６２が全体的に照明される。
【００２９】
図１０に示すように、演出ボタンベースには、押圧操作により裏側(下方)へ向けて変位した演出操作ボタン４２における当部８２,８３の下端面(裏側端面)を受け止める受部８４,８５が形成されている。先ず当部８２,８３について説明すると、演出操作ボタン４２における演出ボタン台部６３の右側に偏倚した部位には、鍔部６３ｂの下面から下方へ延出する前後一対の第１当部８２が形成され(図７参照)、演出ボタン台部６３の左側には、左側の演出ボタン押圧部８０の途中位置から左側方へ延出する第２当部８３が形成されている(図９参照)。ここで、第１当部８２は、演出操作ボタン４２が演出ボタン基体５２に保持された状態で、演出ボタン基体５２の外面に沿って垂下しており、演出操作ボタン４２が押圧操作されていない通常状態で第１当部８２の下端面が演出ボタン基体５２の下端と同じ(実施例)または上方に位置している。そして、第１当部８２は、演出操作ボタン４２の押圧操作に伴って下端面が演出ボタン基体５２の下端よりも下方へ突き出るようになっている。第２当部８３の下端面は、第１当部８２の下端面よりも上方に位置しており、演出操作ボタン４２の押圧操作および押圧操作の解除に伴って、演出ボタン基体５２の側方を変位するようになっている。
【００３０】
次に受部８４,８５について説明すると、演出ボタンベース５０の内側には、２つの第１当部８２,８２の下方位置に夫々対応して、２箇所の第１受部８４,８４が左右方向略中央の前後縁部に離間して設けられ、演出ボタンベース５０の内側左側には、第２当部８３の下方位置に対応して第２受部８５が設けられている(図５(ｄ)参照)。各第１受部８４は、平坦な上面が演出操作スイッチ側に臨む台状部分であって、第１受部８４の上面と演出ボタン基板６０の上面との高さが揃っている(図１０参照)。第２受部８５は、演出ボタンベース５０において演出ボタン基板６０の左側方に段状に立ち上がるように形成された部分であって、該第２受部８５の平坦な上面が第１受部８４よりも上方に位置している。そして、演出操作ボタン４２を水平姿勢を保ったまま押圧操作すると、第１当部８２が第１受部８４に受け止められるタイミングと、第２当部８３が第２受部８５に受け止められるタイミングが略同一になるように構成されている。また、第１および第２当部８２,８３は、演出操作ボタン４２を押圧操作した際に、演出ボタン台部６３の鍔部が演出ボタン基体５２に当たって受け止められる前で、かつ演出ボタン台部６３から延出する演出ボタン押圧部８０が演出ボタン基板６０に当たる前に、対応の受部８４,８５に当接するようになっている(図９(ｂ)参照)。このように、演出操作ボタン４２は、当部８２,８３が受部８４,８５に受け止められて、押圧操作に伴う下方への変位が規制される。
【００３１】
(選択操作ボタン４４,４５について)
図１１に示すように、選択ボタンベース５１は、上方へ開口する箱形状に形成されており、ユニットカバー４８の下面に対してネジ止め等により組み付けられて、上方開口がユニットカバー４８で覆われている。選択ボタンベース５１の上面内側には、ユニットカバー４８に開設された選択ボタン開口部４８ｂに整合する選択ボタン通口８８ａが形成された選択ボタン内カバー８８が嵌め合わせられ、選択ボタン内カバー８８と選択ボタンベース５１の間には、選択操作ボタン４４,４５の下部、選択ボタン基体９０、選択ボタン弾性体９２および選択ボタン基板９４が収容されている。各選択操作ボタン４４,４５は、選択ボタン本体９６と、この選択ボタン本体９６の上側に被せられた選択ボタン被覆部９７とからなり、選択ボタン本体９６および選択ボタン被覆部９７が、光を透過可能になっている。各選択操作ボタン４４,４５は、選択ボタン本体９６の端縁下面から下方に延出形成された２つの選択ボタン係合片９６ａ,９６ａを、選択ボタン基体９０の外周面に形成された選択ボタン係合突起９０ａに夫々引っ掛けて、上下方向にスライド変位可能に保持されている。各選択操作ボタン４４,４５は、選択ボタン本体９６と選択ボタン基体９０との間に配設された２つの選択ボタン弾性体９２,９２によって、選択ボタン基体９０から遠ざかる表側へ向けて付勢されている。なお、両選択ボタン弾性体９２,９２はコイルばねが用いられ、左右方向に離間配置されている。選択ボタン基体９０と選択ボタンベース５１の底板との間には、各選択操作ボタン４４,４５の下方に延出する選択ボタン押圧部９８に対応する選択ボタン検出手段４６および選択ボタン発光体９５を上面に有する選択ボタン基板９４が配設されている。各選択操作ボタン４４,４５を選択ボタン弾性体９２の付勢に抗して押圧操作すると、選択ボタン押圧部９８が対応の選択ボタン検出手段４６に検知されるようになっている。また、選択ボタン基体９０に開設された発光開口(図示せず)を介して照射された選択ボタン発光体９５の光によって、各選択操作ボタン４４,４５を照明し得るようになっている。なお、選択操作ボタン４４,４５の選択ボタン基体９０に対する保持構造は、演出操作ボタン４２と同様であり、選択ボタン押圧部９８の構成は、演出ボタン押圧部８０と同様である。そして、選択ボタン検出手段４６についても、演出ボタン検出手段４３と同様のスイッチが用いられている。
【００３２】
(制御手段Ｃ１について)
前記パチンコ機１０の裏側には、該パチンコ機１０に設けられた各種電気部品を制御する制御手段Ｃ１(図１２参照)が配設されている。制御手段Ｃ１には、入賞装置２４,２５,２６に配設された球検知センサからの信号や、可動役物３１,３２に設けられた位置検出手段からの信号等の各種の制御のための信号が入力される。また、制御手段Ｃ１には、演出操作ユニット４０の２つの演出ボタン検出手段４３,４３、右選択操作ボタン４４に対応した選択ボタン検出手段４６および左選択操作ボタン４５に対応した選択ボタン検出手段４６からの信号が入力されるようになっている。また、制御手段Ｃ１は、図柄表示装置１３、可動役物３１,３２の駆動源、演出操作ユニット４０の演出操作ボタン４２に対応した演出ボタン発光体６６,６６、右選択操作ボタン４４に対応した選択ボタン発光体９５および左選択操作ボタン４５に対応した選択ボタン発光体９５、振動発生源５６の駆動モータ７３などに電気的に接続され、前記信号や該制御手段Ｃ１に設定されたプログラムに基づいて、図柄表示装置１３、可動役物３１,３２の駆動源、演出ボタン発光体６６、選択ボタン発光体９５および振動発生源５６の駆動モータ７３などを連係または独立して所定の制御を実行するようになっている。
【００３３】
図１２に示すように、実施例の制御手段Ｃ１は、パチンコ機１０を全体的に制御するメイン制御基板(メイン制御手段)Ｃ２と、該メイン制御基板Ｃ２からの制御信号に基づいて各制御対象を制御するサブ制御基板(サブ制御手段)Ｃ３〜Ｃ６とが設けられている。すなわち、メイン制御基板Ｃ２では、パチンコ機１０に備えられた各種検出手段からの検出信号に基づいて各種処理が実行され、その処理結果に応じた各種の制御信号(制御コマンド)がサブ制御基板Ｃ３〜Ｃ６に出力されるようになっている。サブ制御手段としては、遊技演出を全体的に制御する統括制御基板Ｃ３、図柄表示装置１３での表示内容を制御する表示制御基板Ｃ４、パチンコ機１０が備える各種発光手段の発光制御を行うランプ制御基板Ｃ５、パチンコ機１０が備えるスピーカの音出力制御を行う音制御基板Ｃ６などを備えている。すなわち、メイン制御基板Ｃ２が出力した制御信号(制御コマンド)に基づいて、統括制御基板Ｃ３が表示制御基板Ｃ４、ランプ制御基板Ｃ５および音制御基板Ｃ６を制御するよう構成されており、パチンコ機１０で実行される各種遊技演出(図柄変動演出や発光演出、音声演出)を統括的にコントロールし得るようになっている。ここで、振動発生源５６の駆動モータ７３は、統括制御手段Ｃ３によって駆動制御される。
【００３４】
(実施例の作用)
所定の制御条件で前記統括制御手段Ｃ３によって駆動モータ７３が駆動制御されることで偏心錘７４が回転し、これにより駆動モータ７３が配設された演出ボタン基体５２が振動する。演出操作ユニット４０では、演出ボタン係合片６９および演出ボタン弾性体５４を介して演出ボタン基体５２に保持された演出操作ボタン４２に、該演出ボタン基体５２の振動に伝わる。そして、演出ボタン発光体６６による演出操作ボタン４２の発光演出や図柄表示装置１３での画像表示などによって、演出操作ボタン４２を押圧操作するように誘導された遊技者が該演出操作ボタン４２を押圧することで、遊技者は演出操作ボタン４２が振動していることが判る。このように、図柄表示装置１３での図柄変動演出や大当り演出など遊技演出が実行されている間に演出操作ボタン４２を振動させることで、演出操作ボタン４２を操作した遊技者に対して当該遊技演出の信頼度を報知して、図柄変動演出での大当り発生への期待感を高めたり、大当り演出後の遊技状態を示唆したりしている。そして、演出操作ボタン４２を押圧操作することで、図柄表示装置１３での図柄変動演出や大当り演出などの遊技演出が所定の態様に切り替わる。
【００３５】
前記演出操作ユニット４０は、演出ボタン基体５２が演出ボタンベース５０から離れた状態で防振体５８で支持され、ユニットカバー４８や演出ボタンベース５０と演出ボタン基体５２との間に配設された演出ボタン基板６０とも離れている。そして、演出ボタン基体５２と演出ボタンベース５０との間には、弾力性を有する防振体５８が介在しているので、演出ボタン基体５２の振動を防振体５８で緩衝して演出ボタンベース５０に振動が伝わるのを防止できる。また、演出ボタン基体５２を固定する取付ネジ７７と演出ボタンベース５０との間には、防振体５８が介在しているので、演出ボタン基体５２の振動を防振体５８で緩衝して、取付ネジ７７を介して演出ボタンベース５０に振動が伝わるのを防止できる。演出操作ボタン４２は、遊技者に押圧されていない通常状態で、演出ボタン基体５２と該演出操作ボタン４２との間に配設された演出ボタン弾性体５４によって、演出ボタン基体５２から離れるように上方へ付勢されると共に、演出操作ボタン４２の演出ボタン係合片６９が演出ボタン基体５２の演出ボタン係合突起７０に引っ掛かって上方への変位が規制されている。前記通常状態の演出操作ボタン４２は、ユニットカバー４８の演出ボタン開口部４８ａの開口縁から離れた状態にあり、また演出ボタンベース５０や演出ボタン基板６０とも離れている。このように、振動発生源５６によって振動される演出ボタン基体５２および演出操作ボタン４２の何れもが、ユニットカバー４８および演出ボタンベース５０から離れると共に、演出ボタン基体５２が弾力性がある防振体５８を介して支持されているので、演出ボタン基体５２および演出操作ボタン４２が振動しても、ユニットカバー４８や演出ボタンベース５０などの周辺部材に振動が伝わることを防止できる。
【００３６】
すなわち、実施例の演出操作ユニット４０によれば、振動発生源５６の振動が、振動対象である演出ボタン基体５２および演出操作ボタン４２に伝わるのを防止してあるので、例えば演出操作ボタン４２に隣接して配設された選択操作ボタン４４,４５の誤検知など、該演出操作ボタン４２の周囲に配設されたスイッチ類や可動役物などの機器への影響を防ぐことができる。また、遊技者が触れる発射操作ハンドル１８や上球皿部材１６などの部材に振動発生源５６の振動が伝わるのを防止でき、遊技者は、演出操作ボタン４２に触れないと演出操作ボタン４２の振動演出が行われたことが判らず、演出操作ボタン４２を操作することに対する興味を持続させることができる。
【００３７】
前記演出ボタン検出手段４３が配設された演出ボタン基板６０を、演出ボタン基体５２と演出ボタンベース５０との間で演出操作ボタン４２の下方に配置しているが、演出ボタン基板６０は、演出ボタン基体５２および防振体５８から離間配置されると共に、演出操作ボタン４２から離間配置されている。これにより、演出ボタン基板６０に対して演出ボタン基体５２や演出操作ボタン４２から直接、または防振体５８を介して振動発生源５６の振動が伝わることを防止でき、演出ボタン基板６０に配設された演出ボタン検出手段４３の破損や誤検知を防止できる。
【００３８】
前記演出操作ボタン４２を演出ボタン弾性体５４の付勢に抗して押圧操作すると、演出ボタン押圧部８０が対応の演出ボタン検出手段４３のレバーを変位させ、これにより演出操作ボタン４２の押圧操作信号が制御手段Ｃ１に入力される。そして、押圧操作された演出操作ボタン４２は、該演出操作ボタン４２に設けられた当部８２,８３が演出ボタンベース５０に設けられた対応の受部８４,８５受け止められて、下方への押圧操作が規制される。このように、押圧操作された演出操作ボタン４２は、当部８２,８３の受部８４,８５への当接により位置規制されるので、演出操作ボタン４２に対して演出ボタン基体５２から効率よく振動を伝えることができ、また演出ボタン基体５２から演出操作ボタン４２に伝わる振動を強くすることができる。このように、演出操作ボタン４２を押圧操作していない通常状態において、演出ボタン基体５２から演出操作ボタン４２に振動を伝わり難いので振動演出が行われているのが判り難い一方、演出操作ボタン４２を押圧操作した遊技者に振動演出が行われていることが判り易い。また、当部８２,８３および受部８４,８５の組は、演出操作ボタン４２の前後および左側部に分散して設けてあるので、押圧操作した演出操作ボタン４２をバランスよく位置規制することができる。
【００３９】
前記演出ボタン基体５２において演出操作ボタン４２が配設される演出ボタン基体５２を３つの防振体５８で支持することで、演出操作ボタン４２の押圧操作に際して加わる荷重を、３つの防振体５８によってバランスよく受けることができる。また、演出ボタン基体５２において振動発生源５６が配設される発生源配設部５２ｂを１つの防振体５８で支持することで、演出ボタン基体５２を効率よく振動させることができる。
【００４０】
(変更例)
なお、遊技機の構成としては、実施例のものに限らず、種々の変更が可能である。
(１)実施例では、遊技機としてパチンコ機を例示して説明したが、これに限られるものではなく、アレンジボール機やピンボール機、スロットマシン機等の各種遊技機を採用し得る。
(２)演出操作ボタン４２の押圧操作によって図柄表示装置１３で行われている遊技演出が切り替わる態様だけでなく、図柄表示装置１３での遊技演出と合わせてまたは独立して、可動役物３１,３２の動作による遊技演出や、発光手段の発光による遊技演出などを切り替えるようにしてもよい。
(３)振動発生源は、実施例の構成に限定されず、従来例に説明したような永久磁石と電磁コイルとの組み合わせや、ソレノイドやその他の構成を採用し得る。
(４)実施例の演出操作ユニットは、選択操作ボタンが一体的に設けられているが、演出操作ボタンだけの構成であってもよい。
【００４１】
また、本願には、以下のような技術的思想が含まれている。
(Ａ)  押圧操作可能な操作ボタン(42)と、該操作ボタン(42)の押圧変位を検知する検出手段(43)とを有する操作手段(40)を備え、前記検出手段(43)による操作ボタン(42)の操作検知に伴って遊技演出を切り替え可能に構成された遊技機において、
前記操作手段(40)は、
カバー(48)と、
前記カバー(48)の裏側に配設されたベース(50)と、
前記カバー(48)とベース(50)との間に配設され、該カバー(48)に設けられた開口部(48a)を介して表側に臨む前記操作ボタン(42)を表裏方向へ進退移動可能に保持する基体(52)と、
前記操作ボタン(42)を表側へ向けて弾力的に付勢する弾性体(54)と、
前記基体(52)に配設され、該基体(52)を振動させる振動発生源(56)と、
弾力性を有し、前記基体(52)および前記操作ボタン(42)の夫々を前記カバー(48)および前記ベース(50)から離す状態で、該基体(52)を該ベース(50)に対して支持する防振体(58)とを備え、
前記ベース(50)は、裏側へ向けて変位した前記操作ボタン(42)の裏側端面を受け止める受部(84,85)を備えたことを要旨とする。
上記構成によれば、振動発生源によって振動される基体および操作ボタンが、カバーおよびベースから離れると共に、弾力性がある防振体を介して支持されているので、基体および操作ボタンが振動しても、カバーおよびベースに振動が伝わることを防止できる。
また、押圧した操作ボタンの裏側端面がベースの当接部で受け止められて該操作ボタンが位置規制されるから、操作ボタンに対して基体から効率よく振動を伝達できる。
(Ｂ)  押圧操作可能な操作ボタン(42)と、該操作ボタン(42)の押圧変位を検知する検出手段(43)とを有する操作手段(40)を備え、前記検出手段(43)による操作ボタン(42)の操作検知に伴って遊技演出を切り替え可能に構成された遊技機において、
前記操作手段(40)は、
カバー(48)と、
前記カバー(48)の裏側に配設されたベース(50)と、
前記カバー(48)とベース(50)との間に配設され、該カバー(48)に設けられた開口部(48a)を介して表側に臨む前記操作ボタン(42)を表裏方向へ進退移動可能に保持する基体(52)と、
前記操作ボタン(42)を表側へ向けて弾力的に付勢する弾性体(54)と、
前記基体(52)に配設され、該基体(52)を振動させる振動発生源(56)と、
弾力性を有し、前記基体(52)および前記操作ボタン(42)の夫々を前記カバー(48)および前記ベース(50)から離す状態で、該基体(52)を該ベース(50)に対して支持する防振体(58)とを備え、
前記操作ボタン(42)および前記振動発生源(56)は、該操作ボタン(42)の進退移動方向と交差する方向に隣接して前記基体(52)に配設され、
前記基体(52)において前記操作ボタン(42)が配設されるボタン配設部(52a)は、複数の前記防振体(58)で支持されると共に、該基体(52)において前記振動発生源(56)が配設される発生源配設部(52b)は、１つの前記防振体(58)で支持されたことを要旨とする。
上記構成によれば、振動発生源によって振動される基体および操作ボタンが、カバーおよびベースから離れると共に、弾力性がある防振体を介して支持されているので、基体および操作ボタンが振動しても、カバーおよびベースに振動が伝わることを防止できる。
また、基体において操作ボタンが配設されるボタン配設部を複数の防振体で支持することで、操作ボタンの押圧によって加わる荷重をバランスよく受けることができる。また、基体において振動発生源が配設される発生源配設部を１つの防振体で受けることで、基体を効率よく振動させることができる。
【符号の説明】
【００４２】
４２  演出操作ボタン(操作部)
４８  ユニットカバー(カバー部材)
４８ａ  演出ボタン開口部(開口部)
５０  演出ボタンベース(ベース部材)
５２  演出ボタン基体(基体部材)
５２ａ  演出ボタン配設部(ボタン配設部)
５２ｂ  発生源配設部
５４  演出ボタン弾性体(弾性体)
５６  振動発生源
５８  防振体
８４  第１受部(受部)
８５  第２受部(受部)
Ｃ３  統括制御手段(制御手段)
【図１】
0005974151.tif 000002
【図２】
0005974151.tif 000003
【図３】
0005974151.tif 000004
【図４】
0005974151.tif 000005
【図５】
0005974151.tif 000006
【図６】
0005974151.tif 000007
【図７】
0005974151.tif 000008
【図８】
0005974151.tif 000009
【図９】
0005974151.tif 000010
【図１０】
0005974151.tif 000011
【図１１】
0005974151.tif 000012
【図１２】
0005974151.tif 000013